(57)【要約】      （修正有）【課題】携帯電子機器と組み合わせられて当該携帯電子機器の新しいフォームファクタを実現するポーチ、及び当該ポーチを開放することなくタッチ入力を行うことのできる携帯電子機器を提供する。【解決手段】ポーチ２００は、前面にタッチスクリーン１１３を備える携帯電子機器１００の本体を収納するものであって、携帯電子機器１００の本体の背面が収納されるように形成される第１部分２１０と、タッチスクリーン１１３を覆うか又は開放するように第１部分２１０に対して回動可能に連結される第２部分２２０とを含み、第２部分２２０は、タッチスクリーン１１３を覆った状態でタッチスクリーン１１３に表示される視覚情報を外部に露出させるように形成され、タッチスクリーン１１３を覆った状態でタッチスクリーン１１３がタッチ入力を感知できるように導電性を有する。【選択図】図２
2013235559.tif 000002
【特許請求の範囲】
【請求項１】
前面にタッチスクリーンを備える携帯電子機器の本体を収納するポーチにおいて、
前記ポーチは、
前記携帯電子機器の本体の背面が収納されるように形成される第１部分と、
前記タッチスクリーンを覆うか又は開放するように前記第１部分に対して回動可能に連結される第２部分と、を含み、
前記第２部分は、前記タッチスクリーンを覆った状態で前記タッチスクリーンに表示される視覚情報を外部に露出させるように形成され、前記タッチスクリーンを覆った状態で前記タッチスクリーンがタッチ入力を感知できるように導電性を有することを特徴とするポーチ。
【請求項２】
前記第２部分は、前記タッチスクリーンを覆った状態で前記タッチスクリーンに密着するように、ゴム材質で形成され、前記第１部分は、前記ゴム材質より硬い材質で形成される、請求項１に記載のポーチ。
【請求項３】
前記ゴム材質が光透過性であり、前記光透過性の透明度を低下させるように、前記ゴム材質に顔料が含有される、請求項２に記載のポーチ。
【請求項４】
前記顔料は、前記第２部分の導電性を向上させるように、導電性物質を含む、請求項３に記載のポーチ。
【請求項５】
前記携帯電子機器の本体との間で摩擦力を向上させるように、前記ゴム材質の前記第２部分の一面が表面処理される、請求項２に記載のポーチ。
【請求項６】
前記第２部分は、より容易に変形するように、前記第１部分より高い軟性を有する、請求項１に記載のポーチ。
【請求項７】
前記第２部分は、
前記タッチスクリーンに対応して配置される第１領域と、
前記携帯電子機器の本体の前面に前記タッチスクリーンに隣接して配置されるタッチキーに対応して配置され、前記第１領域より高いタッチ感度を有する第２領域と、
を含む、請求項１に記載のポーチ。
【請求項８】
前記第１領域と前記第２領域とは、厚さが異なるか、又は材質が異なる、請求項７に記載のポーチ。
【請求項９】
前記第１領域と前記第２領域とは、異なる顔料を含有して前記第１領域の顔料の導電性と前記第２領域の顔料の導電性とが異なるか、又は同一の顔料を含有して前記第１領域の顔料の含有量と前記第２領域の顔料の含有量とが異なる、請求項７に記載のポーチ。
【請求項１０】
前記第２部分にフィルムが貼り付けられる、請求項１に記載のポーチ。
【請求項１１】
前記第２部分の一面にはリセス部が形成され、前記フィルムは前記リセス部に収容される、請求項１０に記載のポーチ。
【請求項１２】
前記第２部分の一面は、前記タッチスクリーンを覆った状態で前記タッチスクリーンに対向する面の反対面である、請求項１１に記載のポーチ。
【請求項１３】
前記フィルムは、前記タッチスクリーンが非アクティブになると光を反射するミラーフィルム、又は前記タッチスクリーンに対する視野角を制限する覗き見防止フィルムである、請求項１０に記載のポーチ。
【請求項１４】
前記タッチスクリーンが覆われた状態を前記携帯電子機器の本体が認識して前記タッチスクリーンの明るさを調整できるように、前記第２部分にはマグネットが取り付けられ、前記携帯電子機器の本体には前記マグネットに対応するセンサが取り付けられる、請求項１に記載のポーチ。
【請求項１５】
前記第２部分は、
光透過性材質で形成されるベース部と、
前記ベース部の一面に形成され、前記タッチスクリーンを覆った状態で前記タッチスクリーンとの密着力を向上させるために前記ベース部より軟質の軟質層と、
を含む、請求項１に記載のポーチ。
【請求項１６】
前記第１部分と前記第２部分とを連結するように形成され、前記第２部分と同じ材質からなる連結部をさらに含む、請求項１に記載のポーチ。
【請求項１７】
前記連結部は、前記第２部分の一辺から突出し、
前記第１部分の一面には、前記連結部を収容する収容溝が形成される、請求項１６に記載のポーチ。
【請求項１８】
前記連結部の対向側の前記第２部分の他辺には、ペンが取り付けられるように環状に形成されるペン取付部が備えられる、請求項１７に記載のポーチ。
【請求項１９】
前記第２部分の端部には、前記第２部分と前記携帯電子機器の本体の前面の音響出力孔との間にギャップを形成するように、傾斜部が形成される、請求項１に記載のポーチ。
【請求項２０】
前面及び背面を備える本体を含み、前記本体の前面に配置されるタッチスクリーンを有する端末機と、
前記端末機の本体を収納するように形成されるポーチと、を含んで構成され、
前記ポーチは、
前記本体の背面が配置される第１部分と、
前記タッチスクリーンを覆うか又は開放するように前記第１部分に対して回動可能に連結され、前記タッチスクリーンを覆った状態で前記タッチスクリーンに表示される視覚情報を外部に露出させるように光透過性からなる第２部分と、を含み、
前記端末機は、前記ポーチの第２部分による前記タッチスクリーンの開閉を感知するように構成されることを特徴とする携帯電子機器。
【請求項２１】
前記ポーチの第２部分は、前記タッチスクリーンを覆った状態で前記タッチスクリーンがタッチ入力を感知できるように、ゴム材質で形成される、請求項２０に記載の携帯電子機器。
【請求項２２】
前記端末機の本体は、前記ポーチの第２部分が前記タッチスクリーンを覆った状態で前記タッチスクリーンがアクティブになると、前記タッチスクリーンの明るさを予め設定された明るさより高くする、請求項２０に記載の携帯電子機器。
【請求項２３】
前記タッチスクリーンのロックモードの解除方式は、前記ポーチの第２部分による前記タッチスクリーンの開閉によって決定される、請求項２０に記載の携帯電子機器。
【請求項２４】
制御命令の入力に対応して前記タッチスクリーンに出力されるグラフィックユーザインタフェース（ＧＵＩ）は、前記ポーチの第２部分による前記タッチスクリーンの開閉によって異なるように設定される、請求項２０に記載の携帯電子機器。
【請求項２５】
前記タッチスクリーンが覆われた状態での待ち受け画面のレイアウトと、前記タッチスクリーンが開放された状態での待ち受け画面のレイアウトとが異なる、請求項２４に記載の携帯電子機器。
【請求項２６】
前記タッチスクリーンが覆われた状態で出力されるアイコンの構成は、前記タッチスクリーンが開放された状態で出力されるアイコンから選択される、請求項２４に記載の携帯電子機器。
【発明の詳細な説明】
【技術分野】
【０００１】
本発明は、携帯電子機器を収納するポーチとポーチに関連する機能を有する携帯電子機器に関する。
【背景技術】
【０００２】
携帯電子機器は、携帯が可能であり、かつ音声通話及びテレビ電話機能、情報入出力機能、並びにデータ保存機能などを少なくとも１つ備えた電子機器である。
【０００３】
携帯電子機器は、機能が多様化することにより、例えば写真や動画像の撮影、音楽や動画像ファイルの再生、ゲーム、放送受信などの複雑な機能を備えたマルチメディア機器の形で実現されている。
【０００４】
マルチメディア機器の複雑な機能を実行するために、ハードウェア又はソフトウェアの面で様々な新しい試みがなされている。一例として、使用者に機能を容易かつ便利に検索又は選択させるためのユーザインタフェース環境が提供されている。
【発明の概要】
【発明が解決しようとする課題】
【０００５】
近年、携帯電子機器を収納して保護するためのポーチの開発が活発に行われている。しかし、携帯電子機器をポーチに収納した状態では、携帯電子機器の使用に制限が生じる。その制限の例として、第一に、携帯電子機器のタッチスクリーンが覆われた状態ではタッチスクリーンに出力される視覚情報を見ることができないので、携帯電子機器を使用するためにはポーチを開放しなければならない。第二に、これを解決するためにポーチのうちタッチスクリーンに対応する部分を切開した場合は、デザインが悪くなり、タッチスクリーンの保護が困難になる。第三に、タッチスクリーンが覆われた状態で剪断方向の外力が加わると、ポーチが曲がる問題も発生し得る。
【０００６】
そこで、本発明者らは、携帯電子機器のタッチスクリーンが覆われた状態でも当該タッチスクリーンへのタッチ入力を可能にするポーチと、当該タッチスクリーンが覆われた状態に関連するユーザインタフェースを実現する携帯電子機器を開発した。
【０００７】
本発明の目的は、携帯電子機器と組み合わせられて当該携帯電子機器の新しいフォームファクタを実現するポーチを提供することにある。
【０００８】
本発明の他の目的は、ポーチを開放することなくタッチ入力を行うことのできる携帯電子機器とそのポーチを提供することにある。
【０００９】
本発明のさらに他の目的は、携帯電子機器においてデザインの変化や追加機能を与える新しいメカニズムを提供することにある。
【課題を解決するための手段】
【００１０】
上記目的を達成するために、本発明は、前面にタッチスクリーンを備える携帯電子機器の本体を収納するように形成されるポーチにおいて、携帯電子機器の本体の背面が収納されるように形成される第１部分、及びタッチスクリーンを覆うか又は開放するように第１部分に対して回動可能に連結される第２部分を含み、第２部分は、タッチスクリーンを覆った状態でタッチスクリーンに表示される視覚情報を外部に露出させるように形成され、タッチスクリーンを覆った状態でタッチスクリーンがタッチ入力を感知できるように導電性を有することを特徴とするポーチを提供する。
【００１１】
本発明の一態様によれば、第２部分は、タッチスクリーンを覆った状態でタッチスクリーンに密着するように、ゴム材質で形成され、第１部分は、ゴム材質より硬い材質で形成されることが好ましい。
【００１２】
本発明の他の態様によれば、第２部分は、より容易に変形するように、第１部分より高い軟性を有することが好ましい。
【００１３】
本発明のさらに他の態様によれば、携帯電子機器の本体の前面には、タッチスクリーンに隣接してタッチキーが配置され、第２部分は、タッチスクリーンに対応して配置される第１領域、及びタッチキーに対応して配置されて第１領域より高いタッチ感度を有する第２領域を含むことが好ましい。
【００１４】
本発明のさらに他の態様によれば、第２部分に別途の機能を与えるように、第２部分にフィルムが貼り付けられることが好ましい。第２部分の一面にはリセス部が形成され、フィルムはリセス部に収容されることが好ましい。
【００１５】
本発明のさらに他の態様によれば、タッチスクリーンが覆われた状態を携帯電子機器の本体が認識してタッチスクリーンの明るさを調整できるように、第２部分にはマグネットが取り付けられ、携帯電子機器の本体にはマグネットに対応するセンサが取り付けられることが好ましい。
【００１６】
本発明のさらに他の態様によれば、第２部分は、光透過性材質で形成されるベース部、及びベース部の一面に形成されてタッチスクリーンとの密着力を向上させるためにベース部より軟質の軟質層を含むことが好ましい。
【００１７】
本発明のさらに他の態様によれば、ポーチは、第１部分と第２部分とを連結するように形成され、第２部分と同じ材質からなる連結部をさらに含むことが好ましい。
【００１８】
本発明のさらに他の態様によれば、携帯電子機器の本体の前面には音響出力孔が備えられ、第２部分の端部には第２部分と音響出力孔との間にギャップを形成するように傾斜部が形成されることが好ましい。
【００１９】
また、本発明は、前面及び背面を備え、ポーチに収納できるように形成される本体と、前面に配置されるタッチスクリーンとを含み、ポーチは、本体の背面が配置される第１部分、及びタッチスクリーンを覆うか又は開放するように第１部分に対して回動可能に連結され、タッチスクリーンを覆った状態でタッチスクリーンに表示される視覚情報を外部に露出させるように光透過性を有する第２部分を含み、本体は、ポーチの第２部分によるタッチスクリーンの開閉を感知するように構成されることを特徴とする携帯電子機器を提供する。
【００２０】
本発明の一態様によれば、ポーチの第２部分は、タッチスクリーンを覆った状態でタッチスクリーンがタッチ入力を感知できるようにゴム材質で形成されることが好ましい。
【００２１】
本発明の他の態様によれば、本体は、ポーチの第２部分がタッチスクリーンを覆った状態でタッチスクリーンがアクティブになると、タッチスクリーンの明るさを予め設定された明るさより高くすることが好ましい。
【００２２】
本発明のさらに他の態様によれば、タッチスクリーンのロックモードの解除のための入力定義は、ポーチの第２部分によるタッチスクリーンの開閉に関連して設定されることが好ましい。
【００２３】
本発明のさらに他の態様によれば、制御命令の入力に対応してタッチスクリーンに出力されるグラフィックユーザインタフェース（ＧＵＩ）は、ポーチの第２部分によるタッチスクリーンの開閉によって異なるように設定されることが好ましい。
【発明の効果】
【００２４】
本発明においては、ポーチが光透過性（又は半透光性）及び導電性を有するため、タッチスクリーンを覆った状態で視覚情報を外部に露出させるだけでなく、タッチスクリーンへのタッチ入力を可能にすることが好ましい。
【００２５】
また、ポーチの第２部分はゴム材質で形成され、ポーチの第１部分はゴム材質より硬い材質で形成されることにより、携帯電子機器を強固に保護しながらも、携帯電子機器を覆った状態で滑らないだけでなく、タッチ感度を維持するポーチを実現することができる。
【００２６】
さらに、ポーチの第２部分は部分的に異なるタッチ感度を有するように形成されることにより、携帯電子機器のタッチスクリーン及びタッチキーにそれぞれ適合するハイブリッド機能を有するポーチを実現することができる。
【００２７】
さらに、本発明においては、ポーチを閉じた状態でのグラフィックユーザインタフェースを別途備える携帯電子機器により、使用者の利便性を向上させる。
【図面の簡単な説明】
【００２８】
【図１】本発明の一実施形態によるポーチに収納された携帯電子機器を示す斜視図である。
【図２】図１のポーチが携帯電子機器のタッチスクリーンを覆った状態を示す斜視図である。
【図３】図２のポーチで覆われた状態での携帯電子機器の動作例を示す概念図である。
【図４】本発明の一実施形態によるポーチ及び携帯電子機器の具体的な構成を説明するための分解斜視図である。
【図５】図２のポーチの閉じた状態を示す断面図である。
【図６Ａ】本発明の他の実施形態によるポーチを示す概念図である。
【図６Ｂ】本発明のさらに他の実施形態によるポーチを示す概念図である。
【図７】本発明のさらに他の実施形態によるポーチを示す断面図である。
【図８】本発明のさらに他の実施形態によるポーチを示す断面図である。
【図９】本発明のさらに他の実施形態によるポーチ及び携帯電子機器を示す斜視図である。
【図１０】本発明による携帯電子機器により実現されるグラフィックユーザインタフェースの一例を示す概念図である。
【図１１】本発明による携帯電子機器により実現されるグラフィックユーザインタフェースの他の例を示す概念図である。
【図１２】本発明による携帯電子機器により実現されるグラフィックユーザインタフェースのさらに他の例を示す概念図である。
【図１３Ａ】本発明による携帯電子機器により実現されるグラフィックユーザインタフェースのさらに他の例を示す概念図である。
【図１３Ｂ】本発明による携帯電子機器により実現されるグラフィックユーザインタフェースのさらに他の例を示す概念図である。
【図１３Ｃ】本発明による携帯電子機器により実現されるグラフィックユーザインタフェースのさらに他の例を示す概念図である。
【図１４】本発明による携帯電子機器により実現されるグラフィックユーザインタフェースのさらに他の例を示す概念図である。
【発明を実施するための形態】
【００２９】
以下、本発明によるポーチ及びそれに収納される携帯電子機器について添付図面を参照して詳細に説明する。本明細書で使用される構成要素の接尾辞である「モジュール」及び「部」は、明細書の作成を容易にするために付与又は混用されるものであり、それ自体が有意性や有用性を有するものではない。
【００３０】
本明細書においては、異なる実施形態であっても同一又は類似の構成要素には同一又は類似の符号を付し、その説明は省略する。本明細書で使用される単数の表現は、特に断らない限り、複数の表現を含む。
【００３１】
本明細書で説明される携帯電子機器には、タブレットＰＣ、携帯電話、スマートフォンなどの移動端末機や、ノートパソコン、デジタル放送端末機、携帯情報端末（Personal Digital Assistants; PDA）、ポータブルマルチメディアプレーヤ（Portable Multimedia Player; PMP）、ナビゲーションなどが含まれる。
【００３２】
図１は本発明の一実施形態によるポーチに収納された携帯電子機器を示す斜視図である。同図においては携帯電子機器の一例としてストレートタイプの移動端末機を示す。ただし、本発明に適用される移動端末機は、ストレートタイプに限定されるものではなく、スライドタイプ、折り畳みタイプ、スイングタイプなどの様々な構造が可能である。
【００３３】
携帯電子機器１００の本体の外観を形成するケース（ケーシング、ハウジング、カバーなど）は、フロントケース１０１とリアケース１０２とから構成される。フロントケース１０１とリアケース１０２とにより形成された空間には、各種電子部品が内蔵される。フロントケース１０１とリアケース１０２との間には、１つ又は複数の中間ケースをさらに配置してもよい。ケースは、合成樹脂を射出して形成してもよく、金属材、例えばステンレススチールやチタン（Ｔｉ）などで形成してもよい。
【００３４】
フロントケース１０１には、ディスプレイ部１１３、音響出力部１１４、カメラ１１５、ユーザ入力部１１６、マイク（図示せず）などが配置されてもよい。
【００３５】
ディスプレイ部１１３は、携帯電子機器１００の主面（前面）の大部分を占める。ディスプレイ部１１３は、視覚情報又は画像情報を表示するためのものであり、液晶ディスプレイ（Liquid Crystal Display; LCD）、薄膜トランジスタ液晶ディスプレイ（Thin Film Transistor-Liquid Crystal Display; TFT-LCD）、有機発光ダイオード（Organic Light-Emitting Diode; OLED）、フレキシブルディスプレイ、３次元ディスプレイの少なくとも１つを含む。ディスプレイ部１１３は、使用者のタッチによる情報入力を可能にするタッチパッドを含む。この場合、ディスプレイ部１１３はタッチスクリーンとして動作するので、以下、ディスプレイ部をタッチスクリーンという。
【００３６】
タッチスクリーン１１３の露出した部分には、仮想キーとして機能キーのアイコンをタッチ入力可能な状態で出力することができる。例えば、タッチスクリーン１１３に動画像が出力される場合、機能キーは、一時停止、再生、巻き戻し、早送り、再生リストなどの機能を実行するための命令を入力できるように構成される。
【００３７】
タッチスクリーン１１３には様々な種類の視覚情報を表示することができる。これらの情報は、文字、数字、記号、グラフィック、アイコンなどで表示される。
【００３８】
これらの情報の入力のために、文字、数字、記号、グラフィック、アイコンの少なくとも１つを所定の配列で表示することにより、キーボードの形にしてもよい。このようなキーボードは「仮想キーボード」とも呼ばれる。
【００３９】
タッチスクリーン１１３は、全領域にわたって動作するようにしてもよく、複数の領域に分けられて動作するようにしてもよい。後者の場合、複数の領域が互いに関連して動作するように構成してもよい。同図に示すように、タッチスクリーン１１３の縁部には、当該タッチスクリーン１１３を支持するベゼル部（符号なし）が備えられる。
【００４０】
タッチスクリーン１１３とベゼル部との間には音響出力部１１４が配置される。音響出力部１１４は、レシーバ又はスピーカの形で実現されてもよい。
【００４１】
タッチスクリーン１１３の両端部のうち一端部に隣接する領域にはカメラ１１５が配置される。カメラ１１５は、回転又はポップアップ可能に携帯電子機器１００の本体に設置されてもよい。
【００４２】
ユーザ入力部１１６は、携帯電子機器１００の動作を制御するための命令を入力するために操作するものであり、複数の操作ユニットを含む。複数の操作ユニットは、操作部とも通称され、触知式（tactile manner）であればいかなる方式も採用可能である。
【００４３】
例えば、操作部は、使用者の押圧又はタッチ操作により命令又は情報を入力するドームスイッチ、タッチスクリーン、タッチパッドで実現されてもよく、キーを回転させるホイール又はジョグ方式やジョイスティックのように操作する方式で実現されてもよい。
【００４４】
このようなユーザ入力部１１６の一例として、タッチキー１１６ａがタッチスクリーン１１３の下部に配置されてもよい。ユーザ入力部１１６の他の例として、プッシュキー１１６ｂが携帯電子機器１００の側面に配置されてもよい。タッチキー１１６ａ及びプッシュキー１１６ｂは操作部とも通称される。
【００４５】
プッシュキー１１６ｂは、ポーチ２００により覆われない側面に配置されることが、操作利便性の面で好ましい。
【００４６】
機能的な面において、タッチキー１１６ａは、開始、終了、確認などのメニューなどを入力するためのメニューキーとして動作し、プッシュキー１１６ｂは、スクロール機能、ボリューム調整機能や、カメラ１１５のアクティブ化、タッチスクリーン１１３のアクティブ化などの特殊な機能を実行するためのホットキーとして動作するようにしてもよい。
【００４７】
さらに、プッシュキー１１６ｂが配置される側面の反対側面には、インタフェース（図示せず）が備えられてもよい。インタフェースは、携帯電子機器１００が外部機器とデータ交換などを行えるようにする通路となる。例えば、インタフェースは、有線又は無線でイヤホンを接続するための接続端子、近距離通信のためのポート（例えば、赤外線ポート（IrDA port）、ブルートゥースポート、無線ＬＡＮポートなど）、又は携帯電子機器１００に電源を供給するための電源供給端子の少なくとも１つである。インタフェース部は、加入者識別モジュール（Subscriber Identity Module; SIM）、ユーザ識別モジュール（User Identity Module; UIM）、情報を保存するためのメモリカードなどの外部カードを収容するカードソケットであってもよい。
【００４８】
マイクは、タッチスクリーン１１３の両端部のうち、カメラ１１５が配置される一端部とは異なる他端部に隣接する領域に配置されてもよい。また、携帯電子機器１００の本体には、照度センサ（図示せず）、近接センサ１１７などが取り付けられてもよい。
【００４９】
同図に示すように、ポーチ２００は、携帯電子機器１００の本体を収納するように形成される。同図においては、ポーチ２００によりタッチスクリーン１１３が開放された状態を示す。
【００５０】
ポーチ２００は、第１部分２１０及び第２部分２２０を含む。より具体的には、第１部分２１０は、携帯電子機器１００の本体の背面が収納されるように形成され、第２部分２２０は、タッチスクリーン１１３を覆うか又は開放するように第１部分２１０に対して回動可能に連結される。
【００５１】
第１部分２１０及び第２部分２２０の少なくとも一部分が携帯電子機器１００とは異なる物質、例えば革などからなる場合は、携帯端末機１００のみを使用する場合とは異なる新しい感覚を与える。
【００５２】
第１部分２１０と第２部分２２０とを連結するように、連結部２３０が第２部分２２０の縁部から外部に突出して延びる。連結部２３０は、第２部分２２０と同じ材質で一体に形成されてもよい。連結部２３０は、曲がりやすくなるように狭い幅に形成され、第２部分２２０は、連結部２３０により、タッチスクリーン１１３を覆う状態に回動することができる。
【００５３】
図２は図１のポーチが携帯電子機器のタッチスクリーンを覆った状態を示す斜視図であり、図３は図２のポーチで覆われた状態での携帯電子機器の動作例を示す概念図である。
【００５４】
同図を参照すると、ポーチ２００の第２部分２２０は、タッチスクリーン１１３を開放する開いた状態（図１参照）から連結部２３０を中心に回動してタッチスクリーン１１３を覆う状態に移行する。
【００５５】
タッチスクリーン１１３を覆った状態では、携帯電子機器１００及びポーチ２００がダイアリーのような形態となるので、携帯性が良くなる。また、ポーチ２００が携帯電子機器１００を囲む保護カバーの役割を果たすので、携帯電子機器１００は外部の衝撃や刺激からもより安全に保護される。
【００５６】
第１部分２１０と第２部分２２０とは、タッチスクリーン１１３を覆った状態で互いに平行に配置されるように形成され、連結部２３０は、第１部分２１０と第２部分２２０との間に形成されるギャップの一部のみを塞ぐように形成される。これにより、携帯電子機器１００の側面の一部はタッチスクリーン１１３が覆われた状態で外部に露出する。その露出部にはインタフェースなどが配置されてもよい。
【００５７】
図２及び図３（ａ）〜（ｃ）を参照すると、ポーチ２００の第２部分２２０は、タッチスクリーン１１３を覆った状態でタッチスクリーン１１３の視覚情報を外部に露出させるように形成され、タッチスクリーン１１３を覆った状態でタッチスクリーン１１３がタッチ入力を感知できるように導電性を有する。
【００５８】
例えば、タッチスクリーン１１３が覆われた状態で携帯電子機器１００がスリープモードにある場合にプッシュキーが押されると（図３（ａ）参照）、携帯電子機器１００がウェイクアップしてタッチスクリーン１１３にロック画面が出力される（図３（ｂ）参照）。
【００５９】
本実施形態において、携帯電子機器１００の状態は、使用者の制御命令の入力を許可するか否かによって「ロック状態」と「解除状態」とに分けられる。
【００６０】
まず、ロック状態とは、携帯電子機器１００のアプリケーションに対する使用者の制御命令の入力を制限する状態をいう。ロック状態は、主にタッチ入力が可能な携帯電子機器１００において使用者が意図しない制御命令が入力されて当該携帯電子機器１００の機能及びアプリケーションがアクティブ化又は非アクティブ化することを防止するためのものである。よって、ロック状態では、タッチスクリーン１１３及びユーザ入力部１１６（図１参照）などにより入力される使用者の制御命令の入力を設定された範囲内に制限する。
【００６１】
ロック状態は、携帯電子機器１００において設定された時間の間に使用者の入力が感知されない場合に実行されるようにしてもよい。設定された時間は、使用者の設定により変更可能である。
【００６２】
また、ロック状態は、当該ロック状態のために予め設定された携帯電子機器１００の特殊キー（例えば、ホールドキー）を使用者が押した場合に実行されるようにしてもよい。本実施例においては、プッシュキー１１６ｂ（図１参照）が特殊キーである。
【００６３】
ロック状態では、例えばタッチスクリーン１１３にロック画面が出力されるようにしてもよい。ロック画面はロック解除のための特定のアイコンが出力される画面であってもよく、ロック状態でロック画面の特定のアイコンをタッチすることにより解除状態が実行されるようにしてもよい。ただし、本発明は、これに限定されるものではなく、解除状態の実行は、予め設定された携帯電子機器１００の操作（例えば、使用者が特殊キーを再び押す操作など）により行われるようにしてもよい。
【００６４】
図３（ｂ）を参照すると、タッチスクリーン１１３のロック画面は、ポーチ２００の第２部分２２０を介して外部に出力される。このために、第２部分２２０は光透過性材質で形成されてもよい。また、図３（ｂ）及び（ｃ）を参照すると、タッチスクリーン１１３のロック画面へのタッチ入力のためにポーチ２００の第２部分２２０をタッチすると、タッチスクリーン１１３がこれを感知して携帯電子機器１００がタッチ入力に対応する制御命令を実行する。本実施例の制御命令はロック解除である。
【００６５】
このように、本発明においては、ポーチ２００で携帯電子機器１００が覆われた状態でも、使用者がタッチスクリーン１１３を操作する動作が可能である。
【００６６】
以下、このような新しいデザイン又は動作を可能にするポーチ及び携帯電子機器の構造についてより詳細に説明する。
【００６７】
図４は本発明の一実施形態によるポーチ及び携帯電子機器の具体的な構成を説明するための分解斜視図であり、図５は図２のポーチの閉じた状態を示す断面図である。
【００６８】
同図に示すように、ポーチ２００の第１部分２１０及び第２部分２２０は、どちらも携帯電子機器１００と平行に配置される。
【００６９】
第１部分２１０は、携帯電子機器１００の本体が嵌合される形状に形成される。例えば、第１部分２１０は、第１部分２１０の縁部が第１部分２１０の主面より突出するように形成されてもよい。
【００７０】
図４を参照すると、第２部分２２０の一辺から連結部２３０が突設され、第１部分２１０の一面に連結部２３０を収容する収容溝２１１が形成されており、収容溝２１１に連結部２３０の端部が取り付けられる。これにより、連結部２３０の結合が容易ながらもスリムな構造が可能になる。
【００７１】
また、第２部分２２０の他辺には、ペンが取り付けられるように環状に形成されるペン取付部２２１が備えられる。ペンは、タッチ入力用スタイラスペンであってもよい。ペン取付部２２１は、第２部分２２０の周面から突設され、第２部分２２０と同じ材質、すなわちゴム材質からなる。これにより、第２部分２２０が外部の物体にぶつかっても傷が発生しなくなる。
【００７２】
図５を参照すると、第２部分２２０は、タッチスクリーン１１３を覆った状態でタッチスクリーン１１３に密着し、このために、第２部分２２０は、第１部分２１０より軟質の材質で形成される。例えば、硬度は７０〜９０度であってもよい。
【００７３】
また、第２部分２２０は、より容易に変形するように、第１部分２１０より高い軟性を有する。その例として、第２部分２２０はゴム材質で形成されてもよい。これにより、第２部分２２０がタッチスクリーン１１３に密着するので、タッチスクリーン１１３のタッチ感度が維持される。また、ゴム材質が若干の導電性を有するので、第２部分２２０は、タッチスクリーン１１３を覆った状態でタッチスクリーン１１３がタッチ入力を感知できるようにする。
【００７４】
さらに、第２部分２２０は、タッチスクリーン１１３を外部に露出させるように光透過性を有し、かつタッチ入力を行えるように導電性を有する材質で形成されてもよい。その例として、第２部分２２０は光透過性のウレタン又はシリコン材質からなるようにしてもよい。
【００７５】
第１部分２１０は、ゴム材質より硬い材質、例えば合成樹脂で形成されてもよい。また、第２部分２２０は、第１部分２１０より薄く形成されてもよい。
【００７６】
さらに、タッチスクリーン１１３を覆った状態で携帯電子機器１００の本体（具体的には前面）との間で摩擦力を向上させるように、ゴム材質の第２部分２２０の一面は表面処理されてもよい。その表面処理の例として、第２部分２２０の内面が光沢処理されてもよい。これにより、第２部分２２０の内面は表面処理層２２２を形成し、携帯電子機器１００の前面と平行な方向に第２部分２２０が滑ることを防止することができる。
【００７７】
タッチスクリーン１１３の縁部を支持するベゼル部は非常に薄く形成され、タッチスクリーン１１３（具体的にはウィンドウ）の端部には音響出力孔１１４ａが形成される。ポーチ２００の第２部分２２０の端部には、音響出力孔１１４ａと第２部分２２０との間にギャップを形成するように傾斜部２２３が形成される。第２部分２２０が携帯電子機器１００の前面に密着しても、ギャップにより、タッチスクリーン１１３が覆われた状態でも音響を外部に放射することができる。
【００７８】
また、傾斜部２２３は、第２部分２２０の前面及び背面の辺部にそれぞれ形成されてもよい。これにより、タッチスクリーン１１３に密着した第２部分２２０を開くために使用者が第２部分２２０をめくることが容易になる。
【００７９】
第２部分２２０の透明度を低下させるように、ゴム材質に顔料が含有されてもよい。これにより、第２部分２２０は、タッチスクリーン１１３がアクティブになった場合にのみ外部からタッチスクリーン１１３の出力内容を容易に認識できるように、半透明の性質を有する。
【００８０】
また、顔料は、第２部分２２０の導電性を向上させるように、導電性物質を含む。導電性物質により、タッチスクリーン１１３のタッチ認識率がさらに向上する。
【００８１】
前述したポーチ２００及び携帯電子機器１００は様々な形態に変形可能である。以下、本発明の他の実施形態を説明するが、図１〜図５を参照して説明した上記実施形態と同様の内容についてはその説明を省略する。
【００８２】
図６Ａは本発明の他の実施形態によるポーチを示す概念図であり、図６Ｂは本発明のさらに他の実施形態によるポーチを示す概念図である。
【００８３】
同図に示すように、ポーチの第２部分３２０は、第１領域３２４と第２領域３２５とに分けられる。より具体的には、第１領域３２４はタッチスクリーン１１３に対応する領域であり、第２領域３２５はタッチキー１１６ａに対応する領域である。
【００８４】
第１領域３２４と第２領域３２５とは異なるタッチ感度を有するように形成される。例えば、第２領域３２５は第１領域３２４より高いタッチ感度を有するように形成される。
【００８５】
携帯電子機器のタッチキー１１６ａは、キーに対応する部分のタッチのみを感知するので、タッチスクリーン１１３に比べてタッチ感度を相対的に弱くしてもよい。例えば、タッチスクリーン１１３におけるタッチパターンの密度をより密にしてもよい。よって、第２領域３２５をより導電しやすく形成することにより、タッチ感度の弱いタッチキー１１６ａに対する補償がなされる。
【００８６】
一例として、図６Ａを参照すると、第１領域３２４と第２領域３２５とは材質が異なる。例えば、第１領域３２４は合成樹脂（例えば、透明ＰＣ）で形成され、第２領域３２５はシリコン材質で形成される。
【００８７】
他の例として、第１領域３２４と第２領域３２５との材質は同じであるが、第１領域３２４と第２領域３２５とに導電性の異なる顔料が含有されるようにしてもよい。より具体的には、顔料は色毎に導電度が異なるので、第１領域３２４と第２領域３２５とを異なる色にすることにより、斬新なデザインを実現すると共に、タッチキー１１６ａのタッチ感度を補償することができる。
【００８８】
さらに他の例として、第１領域３２４と第２領域３２５との材質は同じであるが、第１領域３２４と第２領域３２５とに同一の顔料が異なる含有量で含有されるようにしてもよい。より具体的には、顔料の含有量が多くなると不透明性が高くなるので、第１領域３２４と第２領域３２５とに異なる含有量の顔料を含有させることにより、領域毎に透明度が異なるポーチを実現することができる。
【００８９】
一方、図６Ｂを参照すると、第１領域３２４と第２領域３２５とは厚さが異なる。例えば、第２領域３２５は第１領域３２４より薄く形成される。このために、第２領域３２５は、第２部分３２０の前面からリセスされて形成されてもよい。また、第２部分３２０の前面にはカメラ孔３２６が備えられる。カメラ孔３２６は、携帯電子機器のカメラ１１５に対応する位置に形成される。
【００９０】
さらに、第２部分３２０の端部には、携帯電子機器の音響出力孔１１４ａに対応する溝３２７が形成される。溝３２７から音響が外部に放射され、これはタッチスクリーン１１３が覆われた状態での通話をより容易にする役割を果たす。
【００９１】
図７は本発明のさらに他の実施形態によるポーチを示す断面図である。
【００９２】
同図に示すように、ポーチ４００の第２部分４２０に追加機能を与えるように、第２部分４２０にフィルム４２８ａが貼り付けられる。
【００９３】
フィルム４２８ａは、タッチスクリーン１１３が非アクティブになると光を反射するミラーフィルムであってもよく、タッチスクリーン１１３に対する視野角を制限する覗き見防止フィルムであってもよい。
【００９４】
より具体的には、第２部分４２０の一面にリセス部４２８ｂが形成され、リセス部４２８ｂにフィルム４２８ａが収容される。フィルム４２８ａがミラーフィルムの場合、第２部分４２０の一面は、タッチスクリーン１１３を覆った状態でタッチスクリーン１１３に対向する面の反対面であってもよい。ミラーフィルムは、インサート射出により第２部分４２０と一体化されてもよい。つまり、第２部分４２０の外面（前面）上にリセス部４２８ｂを形成し、当該リセス部４２８ｂにミラーフィルムを配置する。
【００９５】
フィルム４２８ａが覗き見防止フィルムの場合、第２部分４２０のリセス部が形成される面は、タッチスクリーン１１３を覆った状態でタッチスクリーン１１３に対向する面であってもよい。覗き見防止フィルムは、溶融点が低いためインサート射出が困難である。よって、第２部分４２０の内面（背面）上にリセス部を形成し、当該リセス部に覗き見防止フィルムを配置する。ただし、本発明は、これに限定されるものではなく、製造工程を変えたり、新しい材料を使用したりすることにより、覗き見防止フィルムを第２部分４２０の外面に貼り付けることもできる。
【００９６】
図８は本発明のさらに他の実施形態によるポーチを示す断面図である。
【００９７】
同図に示すように、ポーチ５００の第２部分５２０は、ベース部５２０ａ及び軟質層５２０ｂを含む。
【００９８】
ベース部５２０ａは、光透過性材質の合成樹脂、例えば透明ＰＣや透明アクリルからなる。この場合、第１部分５１０は、ベース部５２０ａと同じ材質で形成されてもよい。しかし、これに限定されるものではなく、第１部分５１０は、不透明材質などのように、他の材質で形成されてもよい。
【００９９】
軟質層５２０ｂは、ベース部５２０ａの一面に形成され、タッチスクリーン１１３との密着力を向上させるために、ベース部５２０ａより軟質である。例えば、軟質層５２０ｂはベース部５２０ａの内面（背面）に形成される。軟質層５２０ｂは、インサート射出によりベース部５２０ａに一体化したゴム材質の部分であり、第２部分５２０とタッチスクリーン１１３との間で密着を助ける。
【０１００】
図９は本発明のさらに他の実施形態によるポーチ及び携帯電子機器を示す斜視図である。
【０１０１】
同図を参照すると、携帯電子機器の本体は、ポーチ６００の第２部分６２０によるタッチスクリーン７１３の開閉を感知するように構成される。
【０１０２】
一例として、タッチスクリーン７１３がポーチ６００の第２部分６２０で覆われた状態を携帯電子機器の本体が認識してこれを利用した動作制御を行えるように、ポーチ６００の第２部分６２０にはマグネット６２９が取り付けられ、携帯電子機器の本体にはマグネット６２９に対応するセンサ７１８が取り付けられる。例えば、センサ７１８は磁場を感知するホールＩＣであってもよい。
【０１０３】
ただし、本発明は、これに限定されるものではなく、例えば、近接センサ１１７を用いて第２部分６２０で覆われることを認識するか、又は照度センサを用いて第２部分６２０で覆われることを認識するようにしてもよい。また、同図に示すように、ペン取付部のないポーチの構成も可能であり、これは上記実施形態においても同様に適用可能である。
【０１０４】
携帯電子機器は、タッチスクリーン７１３の開閉を利用した新しいユーザインタフェースを使用者に提供することができる。以下、このようなユーザインタフェースについてより詳細に説明する。
【０１０５】
図１０は本発明による携帯電子機器により実現されるグラフィックユーザインタフェースの一例を示す概念図である。
【０１０６】
同図に示すように、本発明による携帯電子機器は、タッチスクリーン７１３の開閉を利用してタッチスクリーン７１３の明るさを調整できるように構成される。
【０１０７】
より具体的には、携帯電子機器は、ポーチの第２部分６２０がタッチスクリーン７１３を覆った状態で当該タッチスクリーン７１３がアクティブになると、タッチスクリーン７１３の明るさが予め設定された明るさより高くなるように制御する。
【０１０８】
例えば、タッチスクリーン７１３の明るさは使用者により設定される。ポーチに収納された携帯電子機器のタッチスクリーン７１３が開放された状態では設定された値がそのまま適用され（図１０（ａ））、ポーチでタッチスクリーン７１３が覆われた状態では設定された値より高い値が適用される（図１０（ｂ））。これにより、タッチスクリーン７１３が覆われた状態でのタッチスクリーン７１３の認識をより容易にすることができる。この場合、設定された値より高くなる程度は、照度センサが感知する照度値に連動して制御されるようにしてもよい。
【０１０９】
図１１は本発明による携帯電子機器により実現されるグラフィックユーザインタフェースの他の例を示す概念図である。
【０１１０】
同図を参照すると、タッチスクリーン７１３のロックモードの解除のための入力定義は、ポーチの第２部分６２０によるタッチスクリーン７１３の開閉に関連して設定される。ロックモードの解除のための入力定義はロックモードの省略も含む。
【０１１１】
一例として、携帯電子機器は、スリープモードからロック画面に移行するのではなく、タッチスクリーン７１３の開閉によりホーム画面に直ちに移行するようにしてもよい。
【０１１２】
ここで、「ホーム画面」とは、ロック状態が解除された解除状態で表示される待ち受け画面をいい、携帯電子機器にインストールされたアプリケーションのアイコン又はウィジェットが表示される画面を意味する。また、ホーム画面は、使用者の設定に応じて複数存在することもある。
【０１１３】
スリープモードとは、図１１（ａ）のように携帯電子機器のタッチスクリーン７１３が非アクティブになり、制御命令の入力がロックされた状態を意味する。スリープモードでポーチの第２部分６２０がタッチスクリーン７１３を開放する方向に回動すると、携帯電子機器がこれを感知して図１１（ｂ）のようにホーム画面に移行する。
【０１１４】
図１２は本発明による携帯電子機器により実現されるグラフィックユーザインタフェースのさらに他の例を示す概念図である。
【０１１５】
同図を参照すると、タッチスクリーン７１３のロックモードの解除のための入力定義は、ポーチの第２部分６２０の開閉であってもよい。
【０１１６】
図１２（ａ）及び（ｂ）を参照すると、携帯電子機器は、サイドボリュームキー（プッシュキー）の押圧により、スリープモードからロックモードに移行する。
【０１１７】
タッチスクリーン７１３がポーチの第２部分６２０で覆われた状態であることを携帯電子機器が認識すると、携帯電子機器の制御部は、ロック画面にアンロックガイドを出力する。例えば、アンロックガイドは、第２部分６２０を開くとロックが解除されることの案内であってもよい。
【０１１８】
図１２（ｃ）に示すように、ロック画面にアンロックガイドが出力された状態で第２部分６２０が開く方向に回動すると、タッチスクリーン７１３はホーム画面に移行する。この場合、使用者は第２部分６２０を用いてタッチスクリーン７１３を操作することでロックを解除したり、ポーチの開放を利用したりしてロックを解除することができる。
【０１１９】
図１３Ａ〜図１３Ｃは本発明による携帯電子機器により実現されるグラフィックユーザインタフェースのさらに他の例を示す概念図である。
【０１２０】
同図に示すように、制御命令の入力に対応してタッチスクリーン７１３に出力されるグラフィックユーザインタフェース（ＧＵＩ）は、ポーチの第２部分６２０によるタッチスクリーン７１３の開閉によって異なるように設定される。すなわち、携帯電子機器は、覆われた状態での専用ＧＵＩを提供する。
【０１２１】
図１３Ａにおいては、出力される文字や画像の大きさが異なることを例示する。より具体的には、ポーチの第２部分６２０が閉じた状態では、ポーチのため文字や画像の識別が難しくなるので、出力される文字や画像が大きくなる。一方、ポーチの第２部分６２０が開くと、出力される文字や画像が元の設定値に対応して変化する。すなわち、文字や画像の大きさが予め設定された値に戻る。
【０１２２】
図１３Ｂにおいては、タッチスクリーン７１３が覆われた状態での待ち受け画面のレイアウトと、タッチスクリーン７１３が開放された状態での待ち受け画面のレイアウトとが異なることを例示する。
【０１２３】
携帯電子機器の元のホーム画面は、図１３Ｂ（ｃ）に示すように、現在出力されているオブジェクトが複数のベース領域のうち何番目のベース領域に該当するかを示す識別情報領域７１３ａ、及びオブジェクトが表示されるベース領域７１３ｂを含んでもよい。さらに、携帯電子機器の元のホーム画面は、使用者の選択又は制御部により予め設定された特定のアプリケーションに対応するアイコンが固定的に表示される基本領域７１３ｃを含んでもよい。
【０１２４】
基本領域７１３ｃに表示されたアイコンは、現在出力されているベース領域７１３ｂが他のベース領域に切り替えられても、基本領域７１３ｃ上に出力され続けるようにしてもよい。
【０１２５】
図１３Ｂ（ａ）及び（ｂ）を参照すると、ロック画面の状態でロックが解除されると、携帯電子機器は、タッチスクリーン７１３が覆われた状態であることを感知し、この場合、専用ＧＵＩを出力する。専用ＧＵＩは、識別情報領域７１３ａ、ベース領域７１３ｂ、基本領域７１３ｃ上に配置されるアイコンから選択することができる。すなわち、タッチスクリーン７１３が覆われた状態で出力されるアイコンの構成は、タッチスクリーン７１３が開放された状態で出力されるアイコンから選択することができる。
【０１２６】
選択されたアイコンの配置も別に設定することができ、それにより、使用者はタッチスクリーン７１３が覆われた状態で主に使用するアイコンを、タッチスクリーン７１３が覆われた状態のホーム画面に出力させることができる。アイコンの例としては、時計、通信記録、前面カメラの実行、ＳＭＳ又はＭＭＳの実行、ＳＮＳの実行などに関連するアイコンがある。
【０１２７】
図１３Ｃに示すように、ポーチの開閉だけでなく、近接センサ１１７や照度センサに連動するユーザインタフェースも可能である。例えば、携帯電子機器は、プッシュキーが押圧されるとスリープモードからロックモードに移行するように基本設定されるが、ポーチで覆われた状態ではそれとは異なる動作を行う。
【０１２８】
図１３Ｃ（ａ）のように、プッシュキーが押圧されると、時計などのように使用者が指定したウィジェットやアプリケーションが実行され、その状態で使用者の手が近接したことが近接センサ１１７により感知されると、ウィジェットやアプリケーションの実行画面（本例示においては時計）からロック画面に移行する。このようなユーザインタフェースは使用者の使用利便性を向上させる。
【０１２９】
図１４は本発明による携帯電子機器により実現されるグラフィックユーザインタフェースのさらに他の例を示す概念図である。
【０１３０】
同図においては、ポーチの第２部分が開いた状態から閉じた状態に移行する動作に関連するユーザインタフェースを例示する。なお、ポーチの第２部分が開いており、かつ携帯電子機器のタッチスクリーンがアクティブになった状態を基本状態という。
【０１３１】
一例として、基本状態でポーチが閉じると、図１４（ａ）のように、携帯電子機器がスリープモードに移行する。この場合、設定された時間内にポーチが開くと、携帯電子機器は基本状態に戻る。
【０１３２】
他の例として、基本状態でポーチが閉じると、図１４（ｂ）のように、携帯電子機器がクイックメモなどの特定のアプリケーションを実行するアイコンＩを出力する。アイコンＩは使用者により設定することができ、使用者は第２部分が閉じた状態で所望のアプリケーションを実行することができる。
【０１３３】
図１４（ｂ）の例は他の形態に変形可能である。例えば、基本状態でポーチが閉じると、図１４（ｃ）のように、基本状態でホーム画面に出力されていた情報の残像が所定時間残り、残像が残っている間特定のアプリケーションを実行するアイコンＩが出力される。
【０１３４】
このように、携帯電子機器がタッチスクリーンの開閉を感知することにより、新しいユーザインタフェースを実現することができる。
【０１３５】
本発明によるポーチ及びそれに収納される携帯電子機器は、上記実施形態の構成と方法に限定されるものではなく、各実施形態の全部又は一部を選択的に組み合わせて構成することで様々に変形することができる。
【符号の説明】
【０１３６】
１００    携帯電子機器
１１３、７１３    タッチスクリーン
１１４ａ    音響出力孔
１１６ａ    タッチキー
２００、４００、５００、６００    ポーチ
２１０、５１０    第１部分
２１１    収容溝
２２０、５２０、６２０    第２部分
２２１    ペン取付部
２２３    傾斜部
３２４    第１領域
３２５    第２領域
２３０    連結部
４２８ａ    フィルム
４２８ｂ    リセス部
５２０ａ    ベース部
５２０ｂ    軟質層
６２９    マグネット
７１８    センサ
【図１】
2013235559.tif 000003
【図２】
2013235559.tif 000004
【図３】
2013235559.tif 000005
【図４】
2013235559.tif 000006
【図５】
2013235559.tif 000007
【図６Ａ】
2013235559.tif 000008
【図６Ｂ】
2013235559.tif 000009
【図７】
2013235559.tif 000010
【図８】
2013235559.tif 000011
【図９】
2013235559.tif 000012
【図１０】
2013235559.tif 000013
【図１１】
2013235559.tif 000014
【図１２】
2013235559.tif 000015
【図１３Ａ】
2013235559.tif 000016
【図１３Ｂ】
2013235559.tif 000017
【図１３Ｃ】
2013235559.tif 000018
【図１４】
2013235559.tif 000019